(57)【要約】【課題】  正確なスイングと打撃に有利で且つ瞬間に発生する衝撃振動波を吸収できるゴルフクラブヘッドのフェース装置。【解決手段】  ゴルフクラブヘッドのフェース装置において、ヘッド本体（２）の正面に凹部（２０）が設けられ、該凹部（２０）内にフェースブロック（３）が嵌め込まれ、該フェースブロック（３）が二種類或いはそれ以上の材料のブロック（３０）、（３１）が複合されてなり、その等重の形態が、クラブ番号が小さいものから大きいものへと、その重心構造がヘッド本体（２）の外側よりヘッド本体（２）のネック（２２）に向けて移動させられたことを特徴とする。【選択図】        図３
0003114857.tif 000002
【実用新案登録請求の範囲】
【請求項１】
ゴルフクラブヘッドのフェース装置において、ヘッド本体（２）の正面に凹部（２０）が設けられ、該凹部（２０）内にフェースブロック（３）が嵌め込まれ、該フェースブロック（３）が二種類或いはそれ以上の材料のブロック（３０）、（３１）が複合されてなり、その等重の形態が、クラブ番号が小さいものから大きいものへと、その重心構造がヘッド本体（２）の外側よりヘッド本体（２）のネック（２２）に向けて移動させられたことを特徴とする、ゴルフクラブヘッドのフェース装置。
【請求項２】
請求項１記載のゴルフクラブヘッドのフェース装置において、フェースブロック（３）のブロック（３０）、（３１）が単一或いは異なる任意の種類の材質とされたことを特徴とする、ゴルフクラブヘッドのフェース装置。
【請求項３】
請求項１記載のゴルフクラブヘッドのフェース装置において、重心構造が、ヘッド本体（２）の外側よりヘッド本体（２）のネック（２２）に向けて移動することにより、同じ或いは異なる形態の二種類或いは二種類以上に材質のブロック（４０）、（４１）、（４２）、（５０）、（５１）、（５２）が複合されてフェースブロック（４）、（５）が形成されたことを特徴とする、ゴルフクラブヘッドのフェース装置。
【考案の詳細な説明】
【技術分野】
【０００１】
本考案は一種のゴルフクラブヘッドのフェース装置に関する。
【背景技術】
【０００２】
ゴルフ用品中のゴルフクラブヘッドのフェースは、球を打つ所であり、ヘッドのフェースの研究開発に関しては、ヘッドの構造設計、材質効果にいずれも良好な目標を達成させ、ヘッドの品質を向上し、ヘッドを改善することにより、打球効果を理想的な状況とし、且つ製造上、更に簡便とすることにある。ゴルフの知識を有する者にとっては周知のとおり、ゴルフクラブヘッドはその角度、重量及び重心位置の違いにより、多種類の番号の形式があり、アイアンは１番から９番とウエッジ（ＷＥＤＧＥ）、ウッドは１、３、４、５、７番に分けられ、それぞれがそれぞれの構造条件及び機能を有し、例えば実心のゴルフクラブヘッドは、一般にメタルクラブヘッドに応用され、これにより、図１、２に示されるゴルフクラブヘッドが発生し、その特徴は、ヘッド本体１の正面位置にそれと一体に形成されたフェース１０が設けられ、この構造は現在最もよく目にされるものであるが、フェース１０の設計は各クラブ番号のヘッドの重心深さ、距離、高さに基づき厚さ、形態を適時に変化させることができず、プレイヤーが打球時に各クラブ番号のヘッドの重心位置を掌握制御できず、最適な打撃点で打撃できず、このため使用上、理想的でない。
【考案の開示】
【考案が解決しようとする課題】
【０００３】
本考案は現在のゴルフクラブヘッドに存在する上述の欠点を鑑み、一種のゴルフクラブヘッドのフェース装置を提供するものである。それは、二種類或いは二種類以上の材料のブロックを適時に調整、組合せて複合フェースブロックを形成し、各番号のクラブのヘッドの重心位置を打撃点となし、並びに衝撃振動波を吸収できるようにし、プレイヤーが異なる番号のクラブヘッドの打撃点で球を打てるようにしたものとする。
【０００４】
上述の目的を達成するため、本考案は一種のゴルフクラブヘッドのフェース装置を提供し、それは二種類或いは二種類以上の材質のブロックを複合してなるフェースブロックを、ヘッド本体に嵌め込み並びに一体に結合させ、プレイヤーが正確に各クラブ番号のヘッドの重心位置を掌握して打球の衝撃点となすことができ、並びに打撃の瞬間に発生する衝撃波を吸収し、スイングの正確性とクラブの振動吸収の安全性を高めるようにしている。
【課題を解決するための手段】
【０００５】
請求項１の考案は、ゴルフクラブヘッドのフェース装置において、ヘッド本体（２）の正面に凹部（２０）が設けられ、該凹部（２０）内にフェースブロック（３）が嵌め込まれ、該フェースブロック（３）が二種類或いはそれ以上の材料のブロック（３０）、（３１）が複合されてなり、その等重の形態が、クラブ番号が小さいものから大きいものへと、その重心構造がヘッド本体（２）の外側よりヘッド本体（２）のネック（２２）に向けて移動させられたことを特徴とする、ゴルフクラブヘッドのフェース装置としている。
請求項２の考案は、請求項１記載のゴルフクラブヘッドのフェース装置において、フェースブロック（３）のブロック（３０）、（３１）が単一或いは異なる任意の種類の材質とされたことを特徴とする、ゴルフクラブヘッドのフェース装置としている。
請求項３の考案は、請求項１記載のゴルフクラブヘッドのフェース装置において、重心構造が、ヘッド本体（２）の外側よりヘッド本体（２）のネック（２２）に向けて移動することにより、同じ或いは異なる形態の二種類或いは二種類以上に材質のブロック（４０）、（４１）、（４２）、（５０）、（５１）、（５２）が複合されてフェースブロック（４）、（５）が形成されたことを特徴とする、ゴルフクラブヘッドのフェース装置としている。
【考案の効果】
【０００６】
以上の説明から分かるように、本考案は以下のような長所を有している。
（１）本考案のゴルフクラブヘッドのフェース装置は、各クラブ番号のヘッドの重心深さ、距離、高さにより適時に異なる比重、形態（或いは同じ形態）の二種類或いは二種類以上の材質のブロックが複合されてなるフェースブロックを提供し、プレイヤーの打撃の異なる要求に対応し、良好な効果を提供する。
（２）本考案のゴルフクラブヘッドのフェース装置は、クラブ番号の小さいものから大きいものに対応し、その各材質の重心構造を、ヘッド外側からネックに向けて移動させるため、同じ或いは異なる形態のブロックを複合してなるフェースブロックを高圧でヘッド本体に嵌入、結合させて一体となし、プレイヤーが各クラブ番号のヘッドの重心位置を正確に掌握できるようにし、並びに瞬間に発生する衝撃振動波を吸収し、プレイヤーに異なるクラブ番号のヘッドを使用する時に適正な打撃点で打撃させ、クラブの振動吸収の安全性を提供する。
【考案を実施するための最良の形態】
【０００７】
図３に示されるように、本考案のゴルフクラブヘッドのフェース装置は、ヘッド本体（２）とフェースブロック（３）を包含し、高圧で嵌入結合して形成され、使用者が正確に各クラブ番号のヘッドの重心位置を掌握、制御し、並びに打撃の瞬間に発生する衝撃振動波を吸収し、プレイヤーが異なるクラブ番号のヘッドを使用する時に、打撃の衝撃点で打撃でき、クラブの振動吸収の安全性を高めることができる。
【０００８】
上述のヘッド本体（２）の正面にフェースブロック（３）が嵌入される凹部（２０）が形成され、該ヘッド本体（２）の側辺に挿入孔（２１）が設けられ、クラブの挿入に供される。該フェースブロック（３）は、ヘッドの重心深さＴ、高さＨ、及び各クラブ番号のヘッドの重心位置を起点とし、該起点よりヘッド軸に垂直な重心距離Ｘを延伸し（図４、５）、適時に各種の異なる比重、形態の二種類或いは二種類以上の材質のブロック（３０）、（３１）を複合して形成され、その厚さはヘッド本体（２）の凹部（２０）により定められる。
【０００９】
図６、７に示されるように、ヘッド本体（２）のフェースブロック（３）に良好な打球性を具備させるため、該フェースブロック（３）は等圧面板の形式を呈し、ヘッド本体（２）の各クラブ番号の小さいものから大きいものに対して、その重量もヘッド本体（２）の外側からヘッド本体（２）のネック（２２）の位置に順に配列され、これにより各種の異なる比重、形態に漸次変化する（或いは同じ形態）二種類或いは二種類以上の材質のブロック（３０）、（３１）、（４０）、（４１）、（４２）、（５０）、（５１）、（５２）が複合されてなり、更にこの複合フェースブロック（３）、（４）、（５）と正面位置に凹部（２０）が設けられたヘッド本体（２）がそれぞれ型内で成形され、高圧嵌入成形が採用され、簡単に組立が完成する。ヘッド本体（２）で打撃時に、ヘッド本体（２）と異なる金属材料のフェースブロック（３）により、プレイヤーはその状況をみて、スイング時に、異なるクラブ番号のヘッドを打球の打撃点で打撃することができ、クラブの振動吸収の安全性を具備する。
【００１０】
図７、９、１０に示されるように、各クラブ番号及び重心深さＴ、高さＨが異なり、各種材料のブロックの比重が異なり、その重心距離Ｘがヘッド本体（２）の外側よりネック（２２）へと順に配列されることにより、二種類或いは二種類以上の材質のブロック（３０）、（３１）、（４０）、（４１）、（４２）、（５０）、（５１）、（５２）が複合成形されてフェースブロック（３）、（４）、（５）が形成され、それがヘッド本体（２）の正面に結合され、プレイヤーが打球をフェースブロック（３）、（４）、（５）で打つのに適合し、製造フローを簡易化する効果も達成する。
【００１１】
更に、フェースブロック（３）の成形方式に多様性を具備させるため、以下に図面を組み合わせてフェースブロック（６）の別の二種類の成形方式について説明する。その一つは図１２に示されるように、フェースブロック（６）の表面を増厚して背部（２３）表面と切り揃え、そのうちフェースブロック（６）は背部（２３）の表面より突出し、並びに背部（２３）部分のフェースブロック（６）の端面（６０）に凹エリア或いは字体等の模様が加圧形成されている。二つ目は、図１３に示されるように、フェースブロック（７）が各種の異なる比重、形態の二種類或いは二種類以上の材質のブロックに振動吸収材料（７０）が充填され、外側に軟性材料（７１）が設けられて構成され、プレイヤーの打撃に有利で且つ瞬間に発生する衝撃振動波を吸収できるゴルフクラブヘッドのフェース装置とされ、プレイヤーに更に良好なスイングの正確性とクラブの振動吸収の安全性を提供する。
【図面の簡単な説明】
【００１２】
【図１】周知のゴルフクラブヘッドの立体図である。
【図２】図１の１Ｂ−１Ｂ断面図である。
【図３】本考案の立体分解図である。
【図４】本考案のヘッドの重心距離が異なることを表示する図である。
【図５】本考案のヘッドの重心深さ、高さの表示図である。
【図６】本考案の立体組合せ図である。
【図７】図６の５Ｂ−５Ｂ断面図である。
【図８】本考案の別の実施例の立体組合せ図である。
【図９】図８の６Ｂ−６Ｂ断面図である。
【図１０】本考案の更に別の実施例の立体組合せ図である。
【図１１】図１０の７Ｂ−７Ｂ断面図である。
【図１２】本考案のまた別の実施例の断面図である。
【図１３】本考案の更にまた別の実施例の断面図である。
【符号の説明】
【００１３】
（２）ヘッド本体
（２２）ネック
（３）、（４）、（５）、（６）、（７）  フェースブロック
（２０）凹部
（２１）挿入孔
（３）フェースブロック
（３０）、（３１）、（４０）、（４１）、（４２）、（５０）、（５１）、（５２）  ブロック
（２３）背部
（６０）端面
（７０）振動吸収材料
（７１）軟性材料
【図１】
0003114857.tif 000003
【図２】
0003114857.tif 000004
【図３】
0003114857.tif 000005
【図４】
0003114857.tif 000006
【図５】
0003114857.tif 000007
【図６】
0003114857.tif 000008
【図７】
0003114857.tif 000009
【図８】
0003114857.tif 000010
【図９】
0003114857.tif 000011
【図１０】
0003114857.tif 000012
【図１１】
0003114857.tif 000013
【図１２】
0003114857.tif 000014
【図１３】
0003114857.tif 000015